(57)【要約】【課題】小石などの重いごみも吸い込み、かつ隙間や棚の上などを幅広く掃除できる電気掃除機用吸込み具を提供する。【解決手段】一端に、電気掃除機のホース（図示せず）などに接続される接続部４を有する接続口３を、他端にごみを吸引する吸込み口２をそれぞれ備えると共に、前記吸込み口２の開口面積を変更可能に構成したもので、吸込み口２の開口面積を狭くすると、吸込み口２からの空気の吸込む風速が早くなり小石などの重いごみを容易に吸い込むことができ、吸込み口２の開口面積を広くすると、軽いごみを一気に吸込むことができるので、隙間や棚の上などを幅広くかつ効率よく掃除できる電気掃除機用吸込み具を提供することが出来る。【選択図】図１
2010166995.tif 000002
【特許請求の範囲】
【請求項１】
一端に、電気掃除機のホースなどに接続される接続部を有する接続口を、他端にごみを吸引する吸込み口をそれぞれ備えると共に、前記吸込み口の開口面積を変更可能に構成した電気掃除機用吸込み具。
【請求項２】
吸込み口に吸込み口蓋を摺動自在に設け、前記吸込み口蓋を摺動させて前記吸込み口の開口面積を変更するようにした請求項１に記載の電気掃除機用吸込み具。
【請求項３】
吸込み口に吸込み口蓋を回動自在に設け、前記吸込み口蓋を回動させて前記吸込み口の開口面積を変更するようにした請求項１に記載の電気掃除機用吸込み具。
【請求項４】
請求項１〜３のいずれか１項に記載の電気掃除機用吸込み具を搭載した電気掃除機。
【発明の詳細な説明】
【技術分野】
【０００１】
本発明は、電気掃除機用吸込み具並びにそれを用いた電気掃除機に関するものである。
【背景技術】
【０００２】
従来の電気掃除機用吸込み具、特に隙間用の電気掃除機用吸込み具として、ホースの先端側等に取り付けるものがある（例えば、特許文献１参照）。
【０００３】
図５は、上記特許文献１に開示された電気掃除機用吸込み具で、図に示すように、従来の電気掃除機用吸込み具３１は、一端に、接続口３２を、他端側に吸込み口３３をそれぞれ有し、接続口３２と吸込み口３３との間に補助吸込み口３４を形成していた。接続口３２は、一端が電気掃除機本体に接続されたホースの他端に設けられた先端パイプ等（図示せず）に確実に取り付けられるように、樹脂などの硬い材料で略円筒状に形成されている。
【特許文献１】特開２００５−１１０９０８号公報
【発明の開示】
【発明が解決しようとする課題】
【０００４】
しかしながら、上記従来の電気掃除機用吸込み具の構成では、万が一吸込み口３３が塞がっても、吸引風を発する電動送風機にかかる負荷を低減し、また電気掃除機用吸込み具が被掃除面に吸い付くことが無くなる様に、補助吸込み口３４を設けているが、本来の吸込み口３３から吸い込む風量が低下するので、特に小石などの重いごみは吸込み難いという課題を有していた。
【０００５】
本発明は、前記従来の課題を解決するもので、小石などの重いごみも吸い込み、かつ隙間や棚の上などを幅広く掃除できる電気掃除機用吸込み具及びそれを用いた電気掃除機を提供することを目的とする。
【課題を解決するための手段】
【０００６】
前記従来の課題を解決するために、本発明の電気掃除機用吸込み具は、一端に、電気掃除機のホースなどに接続される接続部を有する接続口を、他端にごみを吸引する吸込み口をそれぞれ備えると共に、前記吸込み口の開口面積を変更可能に構成したもので、吸込み口の開口面積を狭くすると、吸込み口からの空気の吸込む風速が早くなり小石などの重いごみを容易に吸い込むことができ、吸込み口の開口面積を広くすると、軽いごみを一気に吸込むことができるので、隙間や棚の上などを幅広くかつ効率よく掃除できる電気掃除機用吸込み具を提供することが出来る。
【０００７】
また、本発明の電気掃除機は、請求項１〜３のいずれか１項に記載の電気掃除機用吸込み具を搭載したもので、ごみの種類に応じて吸込み口の開口面積を調整することができるので、効率よく掃除をすることが出来る。
【発明の効果】
【０００８】
本発明の電気掃除機用吸込み具及び電気掃除機は、吸込み口の開口面積を変更可能に構成したので、必要に応じ吸込み口の開口面積を狭く調整すると吸込み口から吸込む風速が早くなり小石などの重いごみも吸込むことが出来る。また吸込み口の開口面積を広く調整した場合は広い開口から効率良くゴミを吸込める。
【発明を実施するための最良の形態】
【０００９】
第１の発明は、一端に、電気掃除機のホースなどに接続される接続部を有する接続口を、他端にごみを吸引する吸込み口をそれぞれ備えると共に、前記吸込み口の開口面積を変更可能に構成したもので、吸込み口の開口面積を狭くすると、吸込み口からの空気の吸込む風速が早くなり小石などの重いごみを容易に吸い込むことができ、吸込み口の開口面積を広くすると、軽いごみを一気に吸込むことができるので、隙間や棚の上などを幅広くかつ効率よく掃除できる電気掃除機用吸込み具を提供することが出来る。
【００１０】
第２の発明は、特に、第１の発明の吸込み口に吸込み口蓋を摺動自在に設け、前記吸込み口蓋を摺動させて前記吸込み口の開口面積を変更するようにしたもので、吸込み口蓋を摺動させて、吸込み口の開口面積を狭く調整すると、吸込み口からの空気の吸込む風速が早くなり、小石など質量の重いごみも容易に吸込むことが出来、また、同じく吸込み口蓋を摺動させて、吸込み口の開口面積を広く調整すると、広い吸込み口から効率良く軽いゴミを一気に吸込めるなど、その時のゴミの種類に合わせ調整できる。このように非常に使い勝手が良いものである。
【００１１】
第３の発明は、特に、第１の発明の吸込み口に吸込み口蓋を回動自在に設け、前記吸込み口蓋を回動させて前記吸込み口の開口面積を変更するようにしたもので、吸込み口蓋を回動させて、吸込み口の開口面積を狭く調整すると、吸込み口からの空気の吸込む風速が早くなり、小石など質量の重いごみも容易に吸込むことが出来、また、同じく吸込み口蓋を回動させて、吸込み口の開口面積を広く調整すると、広い吸込み口から効率良く軽いゴミを一気に吸込めるなど、その時のゴミの種類に合わせ調整できる。このように非常に使い勝手が良いものである。
【００１２】
第４の発明における電気掃除機は、請求項１〜３のいずれか１項に記載の電気掃除機用吸込み具を搭載したもので、ごみの種類に応じて吸込み口の開口面積を調整することができるので、効率よく掃除をすることが出来る電気掃除機を提供することが出来る。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における電気掃除機用吸込み具の斜視図（吸込み口蓋を左側に移動させたとき）、図２は、同電気掃除機用吸込み具の斜視図（吸込み口蓋を右側に移動させたとき）である。
【００１５】
図１、図２に示されるように、本実施の形態における電気掃除機用吸込み具１（以下「吸込み具１」という）は、その一端に、ごみを吸引するための吸込み口２を形成し、他端側に吸込み口２と連通する接続口３を形成している。接続口３の外側には、電気掃除機本体（図示せず）に接続するホース（図示せず）の先端側（図示せず）に取り付ける接続部４を形成している。
【００１６】
前記接続部４と接続口３との間には隙間を設け、吸込み口２とは別の補助吸込み口５を形成している。６は、吸込み口蓋であり、吸込み口２に摺動自在に取り付けられており、吸込み口蓋６が、矢印左側方向に移動させたときは、図１に示すように、吸込み口２の開口面積は狭くなり、逆に、矢印右側方向に移動させたときは、図２に示すように、吸込み口２の開口面積が広くなるようになっている。
【００１７】
以下、本実施の形態における吸込み具１の動作、作用を説明する。
【００１８】
吸込み口２の開口面積を、摺動自在の吸込み口蓋６で変えられるように構成しているので、質量の重いごみが多い時は、吸込み口蓋６を左側に移動させて開口面積を狭く調整すると、吸込み口２から吸込む風速が早くなり、小石などの重いごみも吸込むことが出来る。また軽いごみが多い時は、吸込み口蓋６を右に移動させ吸込み口２の開口面積を広く調整すると広い吸込み口２から効率良くゴミを吸込めるなど、その時のゴミに合わせ効率よくゴミを吸込むことができる。
【００１９】
このように、本実施の形態における吸込み具１は非常に使い勝手が良いものである。またその先端の吸込み口２が被掃除面や塵埃などでふさがれてしまっても、補助吸込み口５から空気が取り入れられることによって、電気掃除機本体が密閉状態になるのを防いで、電気掃除機本体内の電動送風機にかかる負荷を低減することができるとともに、被掃除面に吸い付くことを防ぐこともできるので、使い勝手良く掃除ができる。
【００２０】
（実施の形態２）
図３は、本発明の第２の実施の形態における電気掃除機用吸込み具の側面図と正面図（吸込み口蓋を右側に移動させたとき）、図４は、同電気掃除機用吸込み具の側面図と正面図（吸込み口蓋を左側に移動させたとき）である。
【００２１】
図３において、本実施の形態における電気掃除機用吸込み具１１（以下「吸込み具１１」という）は、その一端に、ごみを吸引するための吸込み口１２を形成し、他端側に接続口１３を形成している。接続口１３の外側には、電気掃除機本体（図示せず）に接続されるホース（図示せず）の先端側（図示せず）に取り付けるための接続部１４を構成している。
【００２２】
前記接続部１４と接続口１３との間には隙間を設け、吸込み口１２とは別の補助吸込み口１５を形成している。１６は、吸込み口１２の開口面積を変えるための吸込み口蓋であり、吸込み口１２に回動自在に取り付けられており、図３に示すように、吸込み口蓋１６を矢印右側方向に回動させたときは、吸込み口２の開口面積が広くなり、逆に、図４に示すように、矢印左側方向に回動させたときは、吸込み口２の開口面積が狭くなるように構成されている。
【００２３】
以下、本実施の形態における吸込み具１１の動作、作用を説明する。
【００２４】
吸込み口１２の開口面積を、回動式の吸込み口蓋１６にて変えられるように構成しているので、質量の重いごみが多い時は、吸込み口蓋１６を左側に回動させて、吸込み口２の開口面積を狭く調整すると吸込み口１２から吸込む風速が早くなり小石などの重いごみも吸込むことが出来る。また軽いごみが多い時は、吸込み口蓋１６を右に回動させて、吸込み口２の開口面積を広く調整すると、広くなった吸込み口１２から効率良くゴミを吸込めるなど、その時のゴミに合わせ効率よくゴミを吸込むことができる。このように非常に使い勝手が良いものである。
【００２５】
またその先端の吸引み口１２が被掃除面や塵埃などでふさがれてしまっても、補助吸込み口１５から空気が取り入れられることによって、電気掃除機本体が密閉状態になるのを防いで電動送風機に加わる負荷を低減することができるとともに、被掃除面に吸い付くことを防ぐこともできるので使い勝手良く掃除ができる。
【産業上の利用可能性】
【００２６】
以上のように、本発明にかかる電気掃除機用吸込み具及びそれを用いた電気掃除機は、必要に応じ吸込み口の開口面積を狭く調整すると吸込み口から吸込む風速が早くなり小石などの重いごみも吸込むことが出来る。また吸込み口の開口面積を広く調整した場合は広い開口から効率良くゴミを吸込めるので業務用電気掃除機にも適用できる。
【図面の簡単な説明】
【００２７】
【図１】本発明の第１の実施の形態における電気掃除機用吸込み具の斜視図（吸込み口蓋を左側に移動させたとき）
【図２】同電気掃除機用吸込み具の斜視図（吸込み口蓋を右側に移動させたとき）
【図３】（ａ）本発明の第２の実施の形態における電気掃除機用吸込み具の側面図（吸込み口蓋を右側に移動させたとき）、（ｂ）同電気掃除機用吸込み具の正面図（吸込み口蓋を右側に移動させたとき）
【図４】（ａ）本発明の第２の実施の形態における電気掃除機用吸込み具の側面図（吸込み口蓋を左側に移動させたとき）、（ｂ）同電気掃除機用吸込み具の正面図（吸込み口蓋を左側に移動させたとき）
【図５】従来の電気掃除機用吸込み具の斜視図
【符号の説明】
【００２８】
１、１１  電気掃除機用吸込み具（吸込み具）
２、１２  吸込み口
３、１３  接続口
４、１４  接続部
５、１５  補助吸込み口
６、１６  吸込み口蓋
【図１】
2010166995.tif 000003
【図２】
2010166995.tif 000004
【図３】
2010166995.tif 000005
【図４】
2010166995.tif 000006
【図５】
2010166995.tif 000007